Podtech/llm-jp-corpus-v4-ja_patent huggingface dataset:
(57)【要約】      （修正有）【課題】停滞水を防止し、なおかつ多数連結しても乱流による悪影響を生じさせないスプリンクラー配管継手を提供する。【解決手段】主体の側端に穿設した入水口と水平方向に穿設した出水口の間にバッフル板を垂設し、出水口側に通水路とほぼ平行となる整流板を設置し、下部に穿設したスプリンクラーヘッド取り付け部付近で出水口側通水路と交わる形状を特徴とする。【選択図】図１
0003153171.tif 000002
【実用新案登録請求の範囲】
【請求項１】
主体の側端に穿設した入水口と水平方向に穿設した出水口の間にバッフル板を垂設し、出水口側に通水路とほぼ平行となる整流板を設置し、下部に穿設したスプリンクラーヘッド取り付け部付近で出水口側通水路と交わる形状を特徴とする継手。
【考案の詳細な説明】
【技術分野】
【０００１】この考案はスプリンクラー配管継手に関するものである。
【背景技術】
【０００２】水道管に直結するスプリンクラー消火設備には、スプリンクラーヘッド取り付け部に満たされる水道水（飲用）が停滞、汚濁して不衛生とならぬよう、停滞水を防止するスプリンクラー配管継手を用いて構築されるものである。
停滞水を防止するスプリンクラー配管継手は、内部にバッフル板と称する隔壁を垂設したものがある。
入水口から継手内部を通過する水流は、バッフル板に衝突することにより水流方向を真下に変更し、スプリンクラーヘッド取り付け部に満たされた水を循環させるというものである。
しかしバッフル板に衝突した水流は乱流を起こしやすく、多数のスプリンクラー配管継手を連結すると振動や騒音等、乱流による悪影響が増大することがわかった。
【考案の開示】
【考案が解決しようとする課題】
【０００３】本考案者は、停滞水を防止し、なおかつ多数連結しても乱流による悪影響を生じさせないスプリンクラー配管継手を開発する研究を重ねた。
【課題を解決するための手段】
【０００４】本考案は、スプリンクラーヘッド取り付け部付近の水が汚濁せず、なおかつ多数連結しても乱流等による悪影響を生じさせないよう、次の手段をとった。
主体の側端に穿設した入水口と水平方向に穿設した出水口の間にバッフル板を垂設し、出水口側に通水路とほぼ平行となる整流板を設置し、下部に穿設したスプリンクラーヘッド取り付け部付近で出水口側通水路と交わる形状を特徴とする継手。
以上の構成よりなるスプリンクラー配管継手である。
【考案の効果】
【０００５】本考案の継手は以上の形状により構成されるため、水道配管内に組み込み、末端に設けた水栓を開放すると、継手内部に次のような水流運動が起きる。
水平方向に穿設された入水口より通水された水流は、下方向に垂設されたバッフル板に衝突し水流方向を変更し、下部に穿設されたスプリンクラーヘッド取り付け部に満たされる水を循環させ、なおかつ出水口側に設置した整流板により水流が一方向に誘導される。
水流を一方向に誘導することにより、二次側に接続する水道管内の乱流は抑制される。
したがって管内の水が汚濁することはなく、なおかつ多数のスプリンクラー配管継手を連結しても振動や騒音等の乱流による悪影響はない。
【考案を実施するための最良の形態】
【０００６】以下、本考案の実施例について説明する。
水道配管の途中に本考案である継手とスプリンクラーヘッドを設置し、管末に水栓等を設ける。管末に設置した水栓を開放すると、本考案である継手の水平方向に穿設された入水口より通水された水流は、下方向に垂設されたバッフル板に衝突し水流方向を変更し、下部に穿設されたスプリンクラーヘッド取り付け部に満たされる水を循環させ、なおかつ出水口側に通水路とほぼ平行に設置した整流板により水流が一方向に誘導される。この継手の二次側に接続する水道管内の乱流は抑制される。
この継手を使用することにより管内の水が汚濁することはなく、なおかつ水流を一方向に誘導することにより、乱流を抑制することができた。
【図面の簡単な説明】
【０００７】
【図１】  本考案の継手縦断面図
【図２】  本考案の継手正面図
【図３】  本考案の継手背面図
【図４】  本考案の継手側面図（入水口側）
【図４−１】  本考案の継手側面図（出水口側）
【図５】  本考案の継手平面図
【図６】  本考案の継手底面図
【図７】  本考案の継手の取付配管図
【符号の説明】  １は主体
２は入水口
３は出水口
４はバッフル板
５は入水口側通水路
６は出水口側通水路
７はスプリンクラーヘッド取付部
８は整流板
９スプリンクラーヘッド
１０水栓
１１水道管
１２建築物
【図１】
0003153171.tif 000003
【図２】
0003153171.tif 000004
【図３】
0003153171.tif 000005
【図４】
0003153171.tif 000006
【図４−１】
0003153171.tif 000007
【図５】
0003153171.tif 000008
【図６】
0003153171.tif 000009
【図７】
0003153171.tif 000010
(57)【要約】【課題】  ＬＥＤチップの基板への搭載方法を改良することにより、照度の方向性を軽減し、且つ発光効率を向上したＬＥＤランプを提供する。【解決手段】  蛍光ランプ形状を有する透光性外囲器の中に細長い放熱基板を収納し、該放熱基板上に複数のＬＥＤチップを長手方向に点在して搭載してなるＬＥＤランプにおいて、該放熱基板は長手方向に細長い溝を具備し、該放熱基板の長手方向に対して直角な断面において、該溝の形状が台形であり、かつ、該台形の平行な２辺の内の短い辺１の両端が、隣接する辺２および辺３となす角度が鈍角である該放熱基板の溝の内側の、前記辺１、辺２、辺３が属する平面上に夫々複数個のＬＥＤチップを搭載してなる構造とする。【選択図】図１
0003153179.tif 000002
【実用新案登録請求の範囲】
【請求項１】
蛍光ランプ形状を有する透光性外囲器の中に細長い放熱基板を収納し、該放熱基板上に複数のＬＥＤチップを長手方向に点在して搭載してなるＬＥＤランプにおいて、該放熱基板は長手方向に細長い溝を具備し、該放熱基板の長手方向に対して直角な断面において、該溝の形状が台形であり、かつ、該台形の平行な２辺の内の短い辺１の両端が、隣接する辺２および辺３となす角度が鈍角である該放熱基板の溝の内側の、前記辺１、辺２、辺３が属する平面上に夫々複数個のＬＥＤチップを搭載してなる構造を有することを特徴とするＬＥＤランプ。
【請求項２】
請求項１記載のＬＥＤランプにおいて、前記透光性外囲器が、透明、半透明乳白色、すりガラス状、レンズ状のいずれかであるＬＥＤランプ。
【考案の詳細な説明】
【技術分野】
【０００１】  本考案は、蛍光ランプ型ＬＥＤランプの明るさの方向依存性と発光効率とを改良したＬＥＤランプに関するものである。
【背景技術】
【０００２】  ＬＥＤランプは、蛍光ランプに比べ、同じ明るさでも消費電力が低く、寿命が長いという利点を有することから、蛍光ランプに代わって広く用いられようとしている。【０００３】  ＬＥＤランプに使用するＬＥＤチップは、一般に平板状のものであり、チップの発光面に対して垂直な方向の照度が最も高く、照度が５０％になる角度は垂直方向に対して５５度程度である。この角度は、一般の蛍光ランプが全く方向性を持たないので、従来の蛍光ランプの用途に置き換える場合には明るさのむらが生じてくる。また、一般にＬＥＤの発光効率は電流値に比例せず、電流値に対して指数関数的に増大するので、大電流を流すほど発光効率は高くなる。しかしながら、それに伴い、発熱も増大するので、投入できる電力は放熱に見合った値に制限される。
【考案の開示】
【考案が解決しようとする課題】
【０００４】  そこで、本考案は、ＬＥＤチップの基板への搭載方法を改良することにより、照度の方向性を軽減し、更に発光効率を改善したＬＥＤランプを提供しようとするものである。
【課題を解決するための手段】
【０００５】  本考案は、上記課題をた解決するために、請求項１に対応して、蛍光ランプ形状を有する透光性外囲器の中に細長い放熱基板を収納し、該放熱基板上に複数のＬＥＤチップを長手方向に点在して搭載してなるＬＥＤランプにおいて、該放熱基板は長手方向に細長い溝を具備し、該放熱基板の長手方向に対して直角な断面において、該溝の形状が台形であり、かつ、該台形の平行な２辺の内の短い辺１の両端が、隣接する辺２および辺３となす角度が鈍角である該放熱基板の溝の内側の、前記辺１、辺２、辺３が属する平面上に夫々複数個のＬＥＤチップを搭載してなる構造とする。【０００６】  さらに、上記構造において、前記透光性外囲器が、透明、半透明乳白色、すりガラス状、レンズ状のいずれかである構造とする。
【考案の効果】
【０００７】  本考案のＬＥＤランプによれば、以下のごとき優れた効果を発揮する。
すなわち、ＬＥＤランプの長軸に直角な方向の明るさのむらが軽減され、且つ辺１が被照射物と対向するようにこのＬＥＤランプを配置した場合、被照射物に対しては充分な照度を確保することができ、且つ、その周辺での照度も従来の蛍光ランプを用いた場合に近い値が確保できるのである。【０００８】  また、本考案においては、ＬＥＤチップを放熱基板の溝の内側に搭載することにより、該放熱基板のＬＥＤチップが搭載されていない面、即ち背面に、従来に比べて大きな面積を有する放熱フィンを設けることが容易であり、この大面積の放熱フィンを用いることにより、通電時のＬＥＤチップの温度を効果的に下げることができるので、従来のＬＥＤランプに搭載されていたものに比べてより小さなＬＥＤチップを用いてＬＥＤチップに流す電流密度を高め、発光効率を高めることができる。
【考案を実施するための最良の形態】
【０００９】  以下、図面に基づき本考案を実施するための最良の形態を説明する。【００１０】  図１および図２は、本考案のＬＥＤランプの実施の一形態を示すもので、以下のようにしてある。【００１１】  すなわち、図１は、ＬＥＤチップを搭載した放熱基板の長手方向に対して直角な断面図を表すもので、辺１、辺２、および辺３が溝１０の断面を構成している。辺１を含む平面１１は、辺２を含む平面１２、および辺３を含む平面１３と夫々１２０度ないし１６０度の鈍角をなして接している。破線の辺４は放熱基板の断面形状を説明するためのもので、この辺４を含む物体の面は存在しない。辺１と辺４は平行である。辺１の長さは辺４より短く、辺１、辺２、辺３および辺４は台形部を構成している。ＬＥＤチップ５は前記辺１、辺２および辺３が夫々属する放熱基板の溝１０の内側の平面１１、１２、１３に搭載されている。【００１２】  図２は、ＬＥＤランプを透明外囲器に収納した様子を示す模式図であり、ＬＥＤチップ５は前記辺１、辺２および辺３が夫々属する放熱基板の溝の内側の平面１１、１２、１３に搭載されている。溝１０の背面には放熱フィン１４が設けられている。放熱基板の材質は、好ましくは熱伝導性に優れるアルミニウムが用いられるが、これに限定されない。放熱フィン１４は、アルミニウムの他、より軽量で且つ熱伝導性に優れた炭素繊維と難燃性樹脂とのコンポジット材料や、熱伝導性の高い無機材料粉末と難燃性樹脂とのコンポジット材料を用いることができる。
【図面の簡単な説明】
【００１３】
【図１】  本考案のＬＥＤランプの放熱基板とＬＥＤチップの搭載状態の一例を示す断面図である。
【図２】  本考案のＬＥＤランプを透光性外囲器に収納した様子を示す模式図である。
【符号の説明】  １、２、３  放熱基板の平面の断面を表す辺
４  台形部の一辺
５  ＬＥＤチップ
７  透光性外囲器
１１、１２、１３  ＬＥＤチップを搭載した平面
１４  放熱フィン
【図１】
0003153179.tif 000003
【図２】
0003153179.tif 000004
(57)【要約】      （修正有）【課題】さまざまな保管の形態に対応できる遺骨収納容器を提供する。【解決手段】遺骨収納容器としての遺骨収納袋を遺骨収納箱に入れる。従来の壺の形状を袋、箱の形状に変えることにより保管、安置、携帯することが容易になる。形状を遺骨収納袋と遺骨収納箱に変える事により、家に安置することもできるとともに安置場所を選ぶこともなく、又携帯も簡単であり、安置場所の変更も容易である。【選択図】図３
0003153176.tif 000002
【実用新案登録請求の範囲】
【請求項１】
遺骨を直接収納する為の遺骨収納袋と、前記遺骨収納袋を収納する為の遺骨収納箱からなることを特徴とする遺骨収納容器
【請求項２】
遺骨収納袋の内面および外面を、銀箔もしくはアルミ箔でコーティングしたことを特徴とする請求項１記載の遺骨収納容器
【請求項３】
遺骨収納箱の材質は、桐材であることを特徴とする請求項１もしくは請求項２記載の遺骨収納容器
【考案の詳細な説明】
【技術の分野】
【０００１】本考案は、遺骨を収納するための容器に関するものである。
【背景技術】
【０００２】従来、遺骨を収納する容器はほとんどが壺の形状が多く、保管方法として墓地に埋葬してきた。しかし近年、墓はあるが身近に遺骨を置きたい、経済的な理由により墓が購入できない、遠方のため墓詣りができないため遺骨を身近に置きたい、子供に負担をかけたくない等の理由により、遺骨を家に置きたい遺族が多くなってきた。この様に保管、安置、携帯の用途の広がりに従来の壺形状の遺骨収納容器では対応できない。
【考案の開示】
【考案が解決しようとする課題】
【０００３】本考案は、このような問題点を解決し、さまざまな保管の形態に対応できる遺骨収納容器を提供するものである。
【課題を解決するための手段】
【０００４】本考案は、まず遺骨を遺骨収納袋に収納し、遺骨収納袋をさらに遺骨収納箱に収納するようにしたものである。
【考案の効果】
【０００５】形状を遺骨収納袋と遺骨収納箱に変える事により、家に安置することもできるとともに安置場所を選ぶこともなく、又携帯も簡単であり、安置場所の変更も容易である。【０００６】遺骨収納袋に銀箔やアルミ箔を施す事により湿気防止になる。【０００７】構造、収納方法が非常に簡素にできているために、お年寄りでも簡単に使用することができる。
【考案を実施するための形態】
以下、本考案の実施の形態を説明する。
図−１は本考案の遺骨収納容器の遺骨収納袋を示すもので、１は遺骨収納袋本体で、その表面２及び内面３には、銀箔がコーティングされている。４は開口部５の蓋であってその内面には粘着剤が施され、さらにその上に保護テープ４−Ａが貼りつけられている。
図−２は、本考案の遺骨収納容器の遺骨収納箱を示すもので、遺骨収納箱本体６と遺骨収納箱蓋７よりなり、いずれも桐材で構成されている。
図−３は、遺骨収納袋を遺骨収納箱に収納した状態を示すもので、６は遺骨収納箱本体、７は遺骨収納箱蓋、１は内部に収納された遺骨収納袋である。
実際に遺骨を収納する場合には、遺骨の一部を図−１の１遺骨収納袋に収納した後、開口部５蓋４に貼りつけられた保護テープ４−Ａをはがし  蓋４を折り返して遺骨収納袋本体１に貼りつけ遺骨収納袋を閉じる。
この状態で、１遺骨収納袋本体を図−３に示すように遺骨収納箱に収納して遺骨の収納を完了する。
【図面の簡単な説明】
【図１】本考案の遺骨収納容器における遺骨収納袋を示す斜視図
【図２】本考案の遺骨収納容器における遺骨収納箱を示す斜視図
【図３】本考案の遺骨収納容器における遺骨収納袋を遺骨収納箱に収納した状態を示す一部透視図
【産業上の利用可能性】遺骨を収納する容器として利用できる。
【符号説明】
１遺骨収納袋  ２袋表面―銀箔貼り紙  ３袋内部―銀箔貼り紙
４蓋  ４−Ａ保護テープ  ５開口部
６遺骨収納箱本体  ７遺骨収納箱蓋
１遺骨収納袋  ６遺骨収納箱本体  ７遺骨収納箱蓋
【図１】
0003153176.tif 000003
【図２】
0003153176.tif 000004
【図３】
0003153176.tif 000005
(57)【要約】      （修正有）【課題】ガス缶を安定的に楽にガスの飛散を少なく残留ガスを抜く事ができるガス抜器具を提供する。【解決手段】受台１に錐型ピン３を取り付けた加圧板２を、５で上下自在軸受４にワッシャー６と割ピン７で取付ガス缶を受台と加圧板ではさみ、錐型ピンにより穴を明けガスを抜く器具である。ガス抜器具の穴明けピンが缶に対しまっすぐに当たるようにする器具の加圧板の軸受を上下自在に動くようにし、加圧板のサイドを折り曲げることでガスの左右への飛散を少なくする。【選択図】図１
0003153121.tif 000002
【実用新案登録請求の範囲】
【請求項１】
穴明けピンが缶に対しまっすぐ当たるようにする為、加圧板の軸受けを上下自在にした事を特徴とするガス抜器具。
【請求項２】
加圧板のサイドを折り曲げガスの飛散を少なくする事を特徴とするガス抜器具。
【考案の詳細な説明】
【技術分野】
【０００１】
本考案は、残留ガスを安全に楽に抜く器具である。
【背景技術】
【０００２】
従来の足で踏むタイプの器具は安全性に、手動の穴明けはガスの飛散保護にかけていると思える。
【先行技術文献】
【特許文献】
【０００３】
【特許文献１】特開２００１−２１９９８１
【考案の概要】
【考案が解決しようとする課題】
【０００４】
しかしながら、以上の従来技術によれば、踏む時に安定しにくく、手ばさみでは手や顔にガスがかかるおそれがあるので、穴明け時の安定、ガスの飛散を課題とする。
【課題を解決するための手段】
【０００５】
以上の課題を解決するために、請求項１の実用新案は穴明け時、安定させるため加圧板の軸受けを上下自在にしたガス抜き器具である。又、請求項２の実用新案は残留ガスの飛散防止に加圧板を側面に折り曲げたガス抜器具である。
【考案の効果】
【０００６】
この実地形態によれば、ガス缶を安定的に楽にガスの飛散を少なく残留ガスを抜く事ができる。
【図面の簡単な説明】
【０００７】
【図１】この考案を示す斜視図である。
【図２】この考案を示す側面図である。
【図３】この考案を示す上面図である。
【考案を実施するための形態】
【０００８】
この考案の実地形態を、図１，２，３に示す。
図に示す様に１、受台に３、錐型ピンを取り付けた２、加圧板を５、軸で上下自在４、軸受に６、ワッシャーと７、割ピンで取付ガス缶を１、受台と２、加圧板ではさみ３、錐型ピンにより穴を明けガスを抜く器具である。
【産業上の利用可能性】
【０００９】
簡単な構造で安価で提供できるから普及しやすく、ゴミ収集において爆発事故など大幅に減る事と思います。また、大型にすればドラム缶にも応用できる。
【符号の説明】
【００１０】
１、受台    ２、加圧板    ３、錐型ピン    ４、上下自在軸受    ５、軸    ６、ワッシャー  
【図１】
0003153121.tif 000003
【図２】
0003153121.tif 000004
【図３】
0003153121.tif 000005
【手続補正書】
【提出日】平成21年6月19日(2009.6.19)
【手続補正１】
【補正対象書類名】実用新案登録請求の範囲
【補正対象項目名】全文
【補正方法】変更
【補正の内容】
【実用新案登録請求の範囲】
【請求項１】
穴明ピンが缶に対しまっすぐ当たるようにする為、加圧板の軸受けを上下自在にした事を特徴とするガス抜器具。
【請求項２】
加圧板のサイドを折り曲げ、ガスの飛散を少なくする事を特徴とする請求項１記載のガス抜器具。
【手続補正２】
【補正対象書類名】図面
【補正対象項目名】全図
【補正方法】変更
【補正の内容】
【図１】
0003153121.tif 000006
【図２】
0003153121.tif 000007
【図３】
0003153121.tif 000008
(57)【要約】      （修正有）【課題】英会話能力を養うために必要とされる自発性や積極性を学習者に促すため、ゲーム形式で学ぶことを可能にする娯楽性の高い英会話学習用ゲームカードを提供する。【解決手段】カードの裏面を同一柄とし、表面には三ヶ所、すなわちカードの左上隅の位置にハート等のトランプ記号１ａとその横に英単語１ｂ、その対角線上にある右下隅の位置に同じトランプ記号１ｃと同じ英単語１ｄ、そして中央部にそれよりも大きな文字で同じ英単語１ｅを表示させることにより、英単語カードをゲーム形式で使用することが容易になり、それによって英会話の学習を娯楽感覚で自発的、積極的に楽しむことが可能になる。英会話ゲームの一例として、手持ちのカードと積み札からひいたカードをつかって英文をつくることによって手持ちの札を捨て、手持ちのカードを早くなくした者が勝ちとなるゲームがある。【選択図】図１
0003153140.tif 000002
【実用新案登録請求の範囲】
【請求項１】
カードの裏面は同一柄とし、表面には三ヶ所、すなわちカードの左上隅の位置にハート等のトランプ記号とその横に英単語、その対角線上にある右下隅の位置に同じトランプ記号と同じ英単語、そして中央部にそれよりも大きな文字で同じ英単語が表示されていることを特徴とする英会話学習用ゲームカード。
【考案の詳細な説明】
【技術分野】
【０００１】  この考案は、英会話学習用ゲームカードに関する。
【背景技術】
【０００２】  英語の単語や文、それらに関連する図柄が表示されたカードを利用することによって英語を学習する方法は一般的である。また、それらのカードを並べることによって文をつくる教材も存在していた。
【考案が解決しようとする課題】
【０００３】  それら教材はあくまで英単語や文法といった英語学習のための教材であり、会話能力を養うために必要な自発性を促すものではなく、またそのカードを使ってトランプのようなより高度で娯楽性の高いゲームをすることも不可能であった。
【０００４】  したがって、参加者が積極的に参加したくなる動機づけに欠け、実際には英語指導者による説明時間の方が長くなってしまい、会話能力の向上といった観点からその教材使用の効果に限界があった。
【課題を解決するための手段】
【０００５】  この考案は、英単語をカードの左上隅、右下隅、中央部の三か所に表示し、また英単語を四つに分類して、その分類にしたがって英単語のそれぞれの横にハード、ダイヤ、スペード、クラブといったトランプで使われる記号を表示することで、より娯楽性の高い英会話学習用のカードゲームを提供しようとするものである。
【考案の効果】
【０００６】  トランプに似ているという視覚的効果とカードをゲーム形式で使用することが容易になることにより、娯楽感覚で自発的、積極的に英会話学習カードゲームに参加することができる。
【０００７】  トランプのように両隅に英単語が表示されていることにより、ファン（トランプを扇形に広げること）をつくって手持ちの札全体を簡単に確認することができるため、より高い学習効果が期待できる。
【考案を実施するための最良の形態】
【０００８】  トランプカードと同様、カードの裏面は同一柄とし、表面に三ヶ所に英単語を表示する。左上隅と右下隅の対角線となる位置にハート、ダイヤ、スペードまたはクラブの記号を記し、そのすぐ横に英単語を表示する。そして中央部にそれよりも大きな文字で英単語を表示する。その英単語の上に図柄を挿入することも可とする。
【実施例】
【０００９】  以下、添付図面に従って一実施例を説明する。１は、英会話カードゲームの１枚のカードの表面における英単語（この例では「ｄｏｇ」）とトランプ記号（この例ではハート）の配置を示したものである。２は、英会話カードゲームでのカードの使用状態を示したもので、カードでファン（扇形）をつくっている。この例では、クラブの「ｒｉｃｈ」（２ａ）、スペードの「ｄｏｇ」（２ｂ）、ダイヤの「ｗｈｅｒｅ」（２ｃ）、ハートの「ｔｈｉｎｋ」（２ｄ）と「ｔａｋｅ」（２ｅ）となっている（本実施例では英単語の分類に関してクラブを「形容詞」、スペードを「名詞その他」、ダイヤを「疑問詞」、ハートを「動詞」とした）。３と４は、英会話カードゲームでのカードの使用状況を示したもので、ゲーム中に参加者が積み札３（裏面にしたカードの集まり）の最上部から１枚をとり、そのカード４を表にした状態を示したものである。【００１０】  英会話ゲームカードの実施例として、手持ちのカードと積み札からひいたカードをつかって英文をつくることによって手持ちの札を捨て、手持ちのカードを早くなくした者が勝ちとなるゲームを説明する。【００１１】  参加者にカードを配り（５〜１５枚程度）、残りのカードを裏面にして中央に置き、積み札３とする。その積み札から最初にカードをひく人を決め、その参加者が図３のようにカード４を一枚ひき、表にする。その参加者はその表になったカード４と図２のような手持ちのカード２を使って英文をつくる。文をつくれるのはそのときカードをひいた者のみである。一回につき最高で２枚まで手持ちのカードを使用することができ、文がつくれない場合はパスをする。文をつくるとき、カード以外の単語も使用することができるが、作成する文の動詞についてはカードの単語を使用しなければならず、動詞のカードがない場合はｂｅ動詞しか使用することができない。また、積み札からひいたカード４は必ず使用しなければならない。文ができたら参加者は文で使用する持ち札を表にして他の参加者に表示してから、作成した文を口頭で示す。その文に問題がなければ、時計回りで次の参加者が積み札からカードをひく。以下同様である。【００１２】  例えばある参加者が図２の５枚の手持ちのカード２をもっていて、図３のようにカード４（この例では「ｆｉｎｄ」）を引いた場合、その参加者は「ｗｈｅｒｅ」と「ｄｏｇ」の札を表示してから、「ｗｈｅｒｅ」  ｄｉｄ  ｙｏｕ  「ｆｉｎｄ」  ｍｙ  「ｄｏｇ」？という英文を口頭で示すことによって、積み札からひいた「ｆｉｎｄ」を使いながら、手持ちのカードである「ｗｈｅｒｅ」と「ｄｏｇ」というカードを捨てることができる。
【効果】
【００１３】  この例のように、積み札からひいたカード４（この例の場合「ｆｉｎｄ」）で英文をつくろうとするとき、図２のようにファン（扇形）をつくることによって５枚の手持ちの札全部を同時に見ることができるので、「ｆｉｎｄ」と文をつくれそうな単語をより迅速に探すことが可能となる。また、その際、日本語を媒介として考えることがないので、英会話能力の向上に役立つ。
【図面の簡単な説明】
【００１４】
【図１】本考案ゲームカードの英単語とトランプ記号の配置例を示す平面図である。
【図２】本考案ゲームカードで扇形をつくったときの使用状態説明図である。
【図３】積み札からゲームカードを一枚ひいたときの使用状態説明図である。
【符号の説明】
【００１５】１  一枚のゲームカードの表面。
２  扇形をつくったゲームカードの表面。
３  積み札となっているゲームカード。
４  積み札からひかれた一枚のゲームカードの表面。
【図１】
0003153140.tif 000003
【図２】
0003153140.tif 000004
【図３】
0003153140.tif 000005
(57)【要約】      （修正有）【課題】装着をより容易に、且つ、角度を自由に調整できるようにし、耳への負担を少なくする眼鏡ユーザー専用の携帯ヘッドホーンを提供する。【解決手段】耳かけヘッドホーンと同型の音源部１を眼鏡のツルに固定する方法として、角度調整ボルト３と開閉丁番４を備えた眼鏡ツル引っ掛けアタッチメント２を組み込んだことを特徴とする。【選択図】図２
0003153107.tif 000002
【実用新案登録請求の範囲】
【請求項１】
在来の耳かけヘッドホーンと同型の音源部を眼鏡のツルに固定する方法として、角度調整機能などを持ち合わせた眼鏡ツル引っ掛けアタッチメントを組み込んだもので、在来の耳かけヘッドホーン同等の機能を持った、眼鏡ユーザー専用の携帯ヘッドホーン。
【考案の詳細な説明】
【技術分野】
【０００１】  本考案は在来の耳かけヘッドホーンの音源部の性能機能を踏襲し、眼鏡のツルに装着できるヘッドホーンに改良した、眼鏡ツル引っ掛けヘッドホーンに関するものである。
【背景技術】
【０００２】  在来の耳かけヘッドホーンは、眼鏡ユーザーにとって、眼鏡ツルと耳かけヘッドホーンの耳かけツルが、耳たぶ上で重なり十分に耳に引っかからず、外れやすかったり、又、耳たぶが痛かったりの違和感があった。
【考案の開示】
【考案が解決しようとする課題】
【０００３】  眼鏡ユーザーが眼鏡ツルでの据付が可能となり、耳かけヘッドホーン同等に、且つ、簡便に装着できるようになり、前述の欠点を解決するものである。
【課題を解決するための手段】
【０００４】  本考案は、眼鏡ツルに固定する眼鏡ツル引っ掛けヘッドホーンあり、在来の耳かけヘッドホーン同型の音源部と、それを眼鏡ツルに固定する引っ掛けアタッチメントがあり、それは眼鏡のツルに密着取り付けが容易な薄板状樹脂製型板とし、眼鏡ツルの太さ形状に応じて種類用意し、選択できるようする。
選択したアタッチメントを音源部に組み込むとき、または、引っ掛けるとき耳の中央位置に据付が調整できるよう角度調整ボルト部を設ける。眼鏡ツルに引っ掛けるときは折り開いて耳に当らないようにし、引っ掛け終わったら閉じるようにできる可変な可動丁番部も設ける。
【考案の効果】
【０００５】  上述のように、在来の耳かけヘッドホーンの音源部と同型のものを、眼鏡ツルに固定できるようにした眼鏡ツル引っ掛けヘッドホーンは、耳かけヘッドホーンを耳たぶにかける代わりに、眼鏡ツルに引っ掛けることにより、耳かけヘッドホーンと同様にヘッドホーンの音源部の耳中央への据付が可能になり、眼鏡ツルと耳かけツルの重なりなどの問題を解消し、耳への負担を少なくしており、眼鏡ユーザーにとって合理的である。
【考案を実施するための最良の形態】
【０００６】  在来の耳掛けヘッドホーンと同型のヘッドホーンの音源部を、眼鏡ツルに引っ掛ける形状とし、引っ掛けアタッチメントはヘッドホーンの音源部の接点を丁番形式とし、装着時をより容易に引っ掛けやすく、且つ、角度を自由に調整できるようにする。
【実施例】
【０００７】  添付図に従って実施例を説明する。これは眼鏡ツルに固定する眼鏡ツル引っ掛けヘッドホーンあり、１．は在来の耳掛けヘッドホーン同型の音源部であり、２．は眼鏡ツルに固定する引っ掛けアタッチメントであり、眼鏡のツルの太さ形状に応じて密着取り付けが容易な薄板状樹脂製型板を種類用意し、選択できるようする。３．は選択したアタッチメントを音源部に取り付けるとき、眼鏡ツルに引っ掛けるとき、耳の中央位置に据付が可能な角度に調整できる角度調整ボルト部であり、４．は眼鏡に引っ掛けるとき折り開いて耳に当らないようにし、引っ掛けおわったら閉じるようにする可変な可動丁番部である。５．は市販の一般的眼鏡のツルである。
【産業上の利用可能性】
【０００８】  耳かけヘッドホーンは携帯ヘッドホーンの中で、主流商品であるが、今まで眼鏡ユーザー専用の携帯ヘッドホーンがなかったので、同ユーザー対応付加価値商品となりうる。
【図面の簡単な説明】
【０００９】
【図１】本考案の姿図
【図２】本考案の断面図１
【符号の説明】
【００１０】１  ヘッドホーンの音源部
２  眼鏡ツルに固定する引っ掛けアタッチメント
３  角度調整ボルト部
４  可動丁番部
５  一般的な眼鏡のツル
【図１】
0003153107.tif 000003
【図２】
0003153107.tif 000004
【手続補正書】
【提出日】平成21年6月1日(2009.6.1)
【手続補正１】
【補正対象書類名】実用新案登録請求の範囲
【補正対象項目名】請求項１
【補正方法】変更
【補正の内容】
【請求項１】
耳かけヘッドホーンと同型の音源部を眼鏡のツルに固定する方法として、角度調整ボルトと開閉丁番を備えた眼鏡ツル引っ掛けアタッチメントを組み込んだことを特徴とする眼鏡ユーザー専用の携帯ヘッドホーン。
(57)【要約】      （修正有）【課題】ネコ等の動物の侵入を地面等に敷くことにより防止できる網ネットを提供する。【解決の手段】網ネット１はパイプ２に巻かれてあり、長さ調節ができ、また常に地面より約１０ｃｍ浮かせた状態が保てるよう、パイプ２につけたバネ等で張力が保たれている。【選択図】図２
0003153101.tif 000002
【実用新案登録請求の範囲】
【請求項１】
ネコ等動物の侵入を防止する網ネットであり地面等に敷くことにより侵入を防止する装置である。網ネットはパイプに巻かれてあり長さ調節ができる。また常に地面より約１０センチメートル浮かせた状態か保てるようパイプにつけたバネ等で張力か保たれているので人や車が出入りする時はふんだ所は、へこむかすぐ元にもとる。人や車かひっかかりにくいよう端はネット止めにより斜めにもできる。幅は１メートルを基本とするか塀の上や対称動物の大きさなどにより幅を変えてもよい。また網目も対称動物により変えた方がよい  これは、ネコ等の動物が不安定な場所を歩くのをきらい、足にからまって動けなくなるとその後近よらなくなる習性を利用したものである。
【考案の詳細な説明】
【発明の詳細な説明】
この考案は、ネコ等の動物の侵入を防止する網ネット（１）を地面等に敷くことにより侵入を防ぐ装置であり、綱ネット（１）はパイプ（２）に巻いてありパイプ（２）につけたバネ（３）により巻きとられるようになっており長さ調節かでき常に張力が保たれている。パイプ（２）は止め金（４）と重り（５）により地面等に固定できる。網ネット（１）は止め金（４）により地面より約１０センチメートルに保たれている。人や車がふんだ所はバネ（３）によりすぐ元にもどり端は人や車かひっかかりにくいようネット止め（６）によりななめにできる。止め金（４）には地面側に穴があいておりビスやクイ等で止めることができる
【図面の簡単な説明】
【図１】本考案の正面図である
【図２】本考案の側面図である
【符号の説明】（１）網ネット  （２）パイプ  （３）バネ  （４）止め金  （５）重り  （６）ネット止め
【図１】
0003153101.tif 000003
【図２】
0003153101.tif 000004
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
ネコ等動物の侵入を防止する網ネットであり地面等に敷くことにより侵入を防止する物品で網ネットはパイプに巻かれてあり長さ調節ができまた常に地面より約１０センチメートル浮かせた状態が保てるようパイプにつけたバネ等で張力が保たれているので人や車が出入りする時はふんだ所はへこむがすぐ元にもどり人や車がひっかかりにくいよう端はネット止めにより斜めにもできて幅は１メートルを基本とするが塀の止や対象動物の大きさなどにより幅を変えてもよくまた、綱目も対象動物により変えた方がよくこれは、ネコ等の動物が不安定な場所を歩くのをきらって足にからまって動けなくなるとその後には近よらない習性を利用したネコ侵入防止網ネット。
(57)【要約】      （修正有）【課題】両サイドにジャバラを形成することにより、人による足型の違いを吸収できるようにした携帯可能使い捨てスリッパ中敷を提供する。【解決手段】一枚の紙または科学繊維紙により形成したスリッパ中敷きの両側面に、複数折り返しのジャバラ状２を形成することにより、直線を曲線に変化させ、スリッパ中敷きと使用者の足型にフィットさせる。さらに、足とスリッパ中敷きをスリッパへ挿入することでスリッパ中敷きの先端両サイドの形の変形により、スリッパから外れたり、破れたりしにくい形にして携帯可能使い捨てスリッパ中敷を構成する。【選択図】図３
0003153108.tif 000002
【実用新案登録請求の範囲】
【請求項１】
スリッパ中敷きの両側面に複数折り返しのジャバラ状を形成することにより直線を曲線に変化させ、スリッパと使用者の足型にフィットさせると同時にジャバラの角部分と、足を中敷へ挿入することで先端両サイドの形の変形によりスリッパから外れにくく破れにくい使い捨てスリッパ中敷き。
【請求項２】
甲上部の中敷中央接合部図５の４において、左右からの隙間を持たすことにより足の甲に沿った曲線を形成しやすくする為、折り返し部によるスリッパ甲上部への挟みこみを容易にし、中敷き袋状部がスリッパへの入り込み過ぎを防ぐ。
【請求項３】
本考案は一枚の紙もしくは化学繊維紙からなり、先端部の一片図３の８がポケットティッシュの一片と同じ大きさであることから、図６のように三つ折りとして携帯することができ、直接印刷することにより企業コマーシャルや販促品とすることができる。
【考案の詳細な説明】
【技術分野】
【０００１】  本考案は、外出時など不特定多数が使用したスリッパと足の接触による不快感及び不衛生な菌の感染などを解消する携帯可能な使い捨てスリッパ中敷に関する。
【背景技術】
【０００２】  従来、高級ホテルや高級旅館もしくはハイグレードクラスの飛行機以外において、不特定多数が使用するスリッパは消毒済と書かれていても信用できず、ましてや一切消毒などされたことのないスリッパを使い回しているのが現状で、白癬菌保有者の使用した直後に同じスリッパを使用せざるおえない事が現実である。
【先行技術文献】
【特許文献】
【０００３】  従来のスリッパ中敷きにおいては曲線とゆう形成からなり、全ての人の足型に同調することが難しく体重からの強度も弱い。
【特許文献１】実願２００３−２７２８２８
【考案の概要】
【考案が解決しようとする課題】
【０００４】  スリッパ中敷の大きさ。【０００５】  スリッパ中敷の強度。【０００６】  スリッパ中敷の形
【課題を解決するための手段】
【０００７】  本考案は中敷両サイドにジャバラを形成することにより、直線を曲線に変化させ人それぞれの足型に合すことができる。【０００８】  本考案は中敷両サイドにジャバラを形成することにより、スリッパ内で足からの力を分散させ中敷の破れを防止することができる。【０００９】  本考案のスリッパ中敷は使い捨てと形の単純化とゆうことから、中敷の爪先がスリッパ内先端においてその形を壊すことにより中敷がスリッパからの脱落を防止する。
【考案の効果】
【００１０】  本考案、携帯可能使い捨てスリッパ中敷きは、不特定多数が使用するスリッパから菌の感染と不快感を防ぎ、足の衛生管理とゆう意識を持つことができる。【００１１】  請求項１においては複数折り返しのジャバラを形成することにより、今までに無い単純な形状から強度をもたせることができる。【００１２】  請求項２においては、接着部に隙間を持たすことによりスリッパと中敷のアールを作り脱落を防ぐ。【００１３】  請求項３においては、一枚の紙もしくは化学繊維紙からなる携帯可能使い捨てスリッパ中敷であるから、中敷に企業や店舗の広告を印刷し配布するポケットティッシュにかわる販促品となる。
【図面の簡単な説明】
【００１４】
【図１】携帯可能な使い捨てスリッパ中敷の展開図
【図２】使用状態を示す上方向平面図
【図３】使用状態を示す立体図
【図４】使用状態を示す内面図
【図５】図１から組み立て糊付け前の展開図
【図６】携帯する状態の展開図
【考案を実施するための形態】
【００１５】  図１の紙もしくは化学繊維紙から図１の２，図１の３，図１の４，図１の６，図１の７，図１の８を折り図５を形成し、図５の斜線部を接着することでスリッパ中敷とする。
【実施例】
【００１６】  図３の８からスリッパに挿入し図３の７をスリッパ甲上部に掛け、足を中敷に挿入する。【００１７】  中敷を挿入する前に図３の８の両角部を三角に折り曲げて挿入することでより一層スリッパと中敷が密着され脱落を防ぐ。【００１８】  図６は携帯可能スリッパ中敷を三つ折りにし、既存のポケットティッシュ包装カバーに入れ、ふたつで一足とし販促品とする。
【産業上の利用可能性】
【００１９】  この不況の時代、企業のコマーシャル戦術も多種あるが、街角において自社のコマーシャル入りポケットティッシュ配布においてそれを受け取る側はあまり必要性を感じていない、もしくは必要としていないのが現実である。【００２０】  消費者が必要と感じる物へ企業名及びコマーシャルを添付することにより認知度と購買意欲の向上が図れると同時に、受け取った側は自分の足の衛生を管理することができる。
【符号の説明】
【００２１】  １  底面部
２  側面ジャバラ部
３  側面と甲被面の補強部
４  側面と甲被面の接着部
５  甲被部
６  折り返し部
７  折り返し補強部
８  爪先先端部
【図１】
0003153108.tif 000003
【図２】
0003153108.tif 000004
【図３】
0003153108.tif 000005
【図４】
0003153108.tif 000006
【図５】
0003153108.tif 000007
【図６】
0003153108.tif 000008
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
スリッパ中敷きの両側面に複数折り返しのジャバラ状を形成することにより直線を曲線に変化させ、スリッパ中敷きと使用者の足型にフィットさせると同時に、足とスリッパ中敷きをスリッパへ挿入することでスリッパ中敷きの先端両サイドの形の変形により、スリッパから外れにくく破れにくい携帯可能使い捨てスリッパ中敷。
【請求項２】
スリッパ中敷き甲上部の接合において左右と中央部の厚さの違いにより、足とスリッパの甲に沿った曲線を形成し、折り返し部によるスリッパ甲上部への挟み込みを容易にし、スリッパ中敷きがスリッパへの入り込み過ぎを防ぐ請求項１に記載の携帯可能使い捨てスリッパ中敷。
【請求項３】
スリッパ中敷きは紙もしくは化学繊維紙からなり、先端部の一片がポケットティッシュの一片と同じ大きさであり、三つ折りとして携帯することができる請求項１又は請求項２に記載の携帯可能使い捨てスリッパ中敷。
(57)【要約】      （修正有）【課題】貸主の正確な確定申告等を簡単にする精算書付貸建物（駐車場）領収通帳を提供する。【解決手段】貸主の各名目の受領金が、貸建物用（駐車場用）の通帳の裏面に精算書と毎月の定額な受領の月日と受領欄が一体化しているので、貸主（管理者）用として複写（コピー）して、貸主（管理者用）の補帳の代りになり、又延滞者も即時に解り、延滞者の防止、及び貸主（管理者）の受領月日と受領印を捺印するだけで、補帳代りに、確定申告等に役立ちます。尚借主が業者の場合も同じ効果をもつ。【選択図】図２
0003153106.tif 000002
【実用新案登録請求の範囲】
【請求項１】
現在の月極貸建物（駐車場）は、契約時に貸主は契約書と精算書を媒介業者よりもらえるが、領収通帳（以下通帳という）は、精算書とは分冊化で、もらえなかったので、貸主は借主別の補助元帳（以下補帳という）を作成して、毎月の賃料を補帳に記載しなくてはならず、非常に面倒だったので、この補帳の代りに、精算書と通帳とを組合わせると毎月の賃料の受領月日と捺印をするだけで、簡単に補帳ができる様に一体化をした印刷物。
【考案の詳細な説明】
【考案の詳細な説明】
【産業上の利用分野】
【０００１】  本考案は貸主の月極貸建物（駐車場）の補帳に関する。
【背景技術】
【０００２】  従来は精算書と通帳とが分冊化して、貸主は媒介業者より成約時に契約書と精算書しかもらえず、貸主は面倒でも毎月補帳に受領金を記載していた。
【考案が解決しようとする課題】
【０００３】  貸主の正確な確定申告等を簡単にすること。
【課題を解決するための手段】
【０００４】  従来の月極精算書（以下精算書という）と通帳の記載部分とを一体化した借主用の通帳の表面を貸建物用の［図１］と駐車場の［図３］を簡単に説明すると符号１（中心部）は借主が携帯が便利な様に、縦横に四つ折りができる様に、この折り込みで出るシワを吸収するための穴部（符号１）とこの穴部からの切れ目を防止するためのビニールパッチ等（符号２）の補強材を（裏面でも可）張り付けてある。かつこれらの裏面の半面を精算書部とし、残り半面は通帳の受領月日・受領印欄を設けて有り、この裏面の［図２］は貸建物用とし、又［図４］は駐車場用として作成してある。この［図２］と［図４］と穴（符号１）とビニールパッチ等（符号２）の補強材の張り付のない［図２］と［図４］に印刷された同様の薄い印刷物を貸主用と管理者用の二枚を重ねて複写（コピー）すれば、貸主用・管理者の補帳の代用品ができ、借主からの受領金が即時に解る。
【考案を実施するための形態】
【０００５】  印刷物であるから、簡単に作成実施・形態もできます。
【考案の効果】
【０００６】  補帳の作成が無用で、正確な収入が解り確定申告等に役立つ。
【図面の簡単な説明】
【図１】  本考案の貸建物用表面図
【図２】  本考案の貸建物用裏面図
【図３】  本考案の駐車場用表面図
【図４】  本考案の駐車場用裏面図
【符号の説明】  １……寄りジワの吸収穴
２……ビニールパッチ等の補強材
【図１】
0003153106.tif 000003
【図２】
0003153106.tif 000004
【図３】
0003153106.tif 000005
【図４】
0003153106.tif 000006
【手続補正書】
【提出日】平成21年6月2日(2009.6.2)
【手続補正１】
【補正対象書類名】実用新案登録請求の範囲
【補正対象項目名】全文
【補正方法】変更
【補正の内容】
【実用新案登録請求の範囲】
【請求項１】
現在の月極貸建物又は月極貸駐車場の、契約・更新時に貸主は契約書と精算書と領収通帳（以下通帳という）は、精算書とは分冊化で貸主は借主別の補助元帳（以下補帳という）を作成して、毎月の賃料を補帳に記載しなくてはならず、非常に面倒だったので、この補帳の代りに、左側に精算書と右側に通帳受領欄を記載した印刷物。
(57)【要約】      （修正有）【課題】ショーツを身に付けたまま、前の部分を開く事によって、片手で簡単に用をたすことが出来る前開きショーツを提供する。【解決手段】ショーツの前の部分を開く事により、ショーツを身に付けたまま、自分自身で、しかも片手で操作出来るようにしたものである。マジックテープによる開閉のためホックの様に正確な位置でなくても止まる。また、紙おむつによる不快感も解消できる。【選択図】図２
0003153109.tif 000002
【実用新案登録請求の範囲】
【請求項１】
ショーツの前の部分を開閉する事によって、ショーツを身に付けたまま、自分自身で、片手だけでも用をたせるところに特徴がある。
【考案の詳細な説明】
【考案の概要】
【考案が解決しようとする課題】
【０００１】  片手が不自由になりトイレに行き用をたす時、ショーツのゴムの部分の上げ下ろしが困難になり、その度、他人の手を借りるか、紙おむつを使用するしかない。
【課題を解決するための手段】
【０００２】  本考案は、ショーツを身に付けたまま、ショーツの前の部分を開く事によって、自分自身で、しかも片手で簡単に操作出来るようにしたものである。
なお、マジックテープで開閉するので、ホックの様に正確な位置でなくても止まる。
【考案の効果】
【０００３】  上記の様に本考案の前開きショーツは、尿意をもよおした時に、他人の手を借りることなく、自分自身で用をたすことができる。また、紙おむつの不快感に悩まされる事もない。
【図面の簡単な説明】
【０００４】
【図１】本考案の前開きショーツを正面から見た時の前部を閉じてる状態
【図２】本考案の前開きショーツの前部を開いた状態
【符号の説明】
【０００５】  （１）表地
（２）裏地
（３）マジックテープ
【図１】
0003153109.tif 000003
【図２】
0003153109.tif 000004
【手続補正書】
【提出日】平成21年6月23日(2009.6.23)
【手続補正１】
【補正対象書類名】実用新案登録請求の範囲
【補正対象項目名】全文
【補正方法】変更
【補正の内容】
【実用新案登録請求の範囲】
【請求項１】
表地と、裏地とを有し、前記裏地の下部に開閉部分が形成されており、
前記開閉部分に設けられた面ファスナーを前記表地に設けられた面ファスナーに着脱することにより、前部を開閉可能に構成されている、
ことを特徴とする前開きショーツ。
【手続補正２】
【補正対象書類名】明細書
【補正対象項目名】全文
【補正方法】変更
【補正の内容】
【考案の詳細な説明】
【技術分野】
【０００１】
本考案は前開きショーツに関する。
【背景技術】
【０００２】
片手が不自由な者がトイレに行き、用をたす時、従来のショーツでは、ゴムの部分の上げ下ろしが困難であった。
【考案の開示】
【考案が解決しようとする課題】
【０００３】
そのため、他人の手を借りるか、紙おむつを使用するしかなかった。
本考案は、上記課題を解決するためになされたものであり、尿意をもよおした時に、他人の手を借りることなく、自分自身で用をたすことができ、紙おむつを不要にすることができる前開きショーツを提供することを目的とする。
【課題を解決するための手段】
【０００４】
本考案の前開きショーツは、表地と、裏地とを有し、前記裏地の下部に開閉部分が形成されており、前記開閉部分に設けられた面ファスナーを前記表地に設けられた面ファスナーに着脱することにより、前部を開閉可能に構成されていることを特徴とするものである。
【考案の効果】
【０００５】
本考案によれば、次のような優れた効果を奏する。
（１）ショーツを身に付けたまま、ショーツの前の部分を開く事により、自分自身で、しかも片手で簡単に操作できるので、尿意をもよおした時に、他人の手を借りることなく、自分自身で用をたすことができる。
（２）紙おむつが不要であるので、紙おむつの不快感に悩まされる事もない。
（３）面ファスナーで開閉するので、ホックのように正確な位置でなくても止めることができる。
【考案を実施するための最良の形態】
【０００６】
以下、本考案の実施の形態について図面を参照して説明する。図１は、本考案の前開きショーツを正面から見た時の前部を閉じている状態を示す説明図、図２は本考案の前開きショーツを正面の前部を開いた状態を示す説明図である。
図１及び図２に示すように、本考案の前開きショーツは、表地１と、裏地２とを有し、裏地２の下部に開閉部分２ａが形成されており、開閉部分２ａに設けられた面ファスナー３を表地１に設けられた面ファスナー３に着脱することにより、前部を開閉可能に構成されていることを特徴とするものである。
【０００７】
本考案の前開きショーツによれば、ショーツを身に付けたまま、ショーツの前の部分を開く事により、自分自身で、しかも片手で簡単に操作できるので、尿意をもよおした時に、他人の手を借りることなく、自分自身で用をたすことができる。
また、紙おむつが不要であるので、紙おむつの不快感に悩まされる事もない。
さらに、面ファスナー３，３で開閉するので、ホックのように正確な位置でなくても止めることができる。
なお、ここで、面ファスナーとは、マジックテープ（登録商標）である。
【図面の簡単な説明】
【０００８】
【図１】本考案の前開きショーツを正面から見た時の前部を閉じている状態を示す説明図である。
【図２】本考案の前開きショーツを正面の前部を開いた状態を示す説明図である。
【符号の説明】
【０００９】
１：表地
２：裏地
２ａ：開閉部分
３：面ファスナー
【手続補正３】
【補正対象書類名】図面
【補正対象項目名】図１
【補正方法】変更
【補正の内容】
【図１】
0003153109.tif 000005
【手続補正４】
【補正対象書類名】図面
【補正対象項目名】図２
【補正方法】変更
【補正の内容】
【図２】
0003153109.tif 000006